(57)【要約】【課題】ＩＰ網を介して音声通信を行ったとしても、セルコール信号の発着信制御をすることができる航空管制用通信システムを提供する。【解決手段】第１装置及び第２装置のそれぞれは、セルコール信号の発着信を制御するセルコール用回線インタフェース基板３０、３２と、セルコール信号と、ＤＴＭＦ信号とのデータ変換を行う変換装置５０、５２と、ＤＴＭＦ信号と、ＩＰ網２００上を流れるＩＰ化信号とのデータ変換を行うゲートウェイ装置６０、６２とを備え、変換装置５０、５２は、セルコール用回線インタフェース基板３０、３２と、ゲートウェイ装置６０、６２との間に設けられ、セルコール信号と、該セルコール信号に対応するコード信号とを紐付けし、該コード信号と、ＤＴＭＦ信号とを紐付けし、コード信号を介して、セルコール信号と、ＤＴＭＦ信号とのデータ変換を行う。【選択図】図１
2014039115.tif 000002
【特許請求の範囲】
【請求項１】
少なくとも１つの第１装置と、
少なくとも１つの第２装置と
を備え、
前記第１装置と前記第２装置とがＩＰ網を介して通信を行う航空管制用通信システムであって、
前記第１装置及び前記第２装置のそれぞれは、
セルコール信号の発着信を制御する回線インタフェース装置と、
前記セルコール信号と、ＤＴＭＦ信号とのデータ変換を行う変換装置と、
前記ＤＴＭＦ信号と、前記ＩＰ網上を流れるＩＰ化信号とのデータ変換を行うゲートウェイ装置と
を備え、
前記変換装置は、
前記回線インタフェース装置と、前記ゲートウェイ装置との間に設けられ、
前記セルコール信号と、該セルコール信号に対応するコード信号とを紐付けし、
該コード信号と、前記ＤＴＭＦ信号とを紐付けし、
前記コード信号を介して、前記セルコール信号と、前記ＤＴＭＦ信号とのデータ変換を行う
ことを特徴とする航空管制用通信システム。
【請求項２】
前記変換装置は、
前記回線インタフェース装置から前記セルコール信号が入力された場合、該セルコール信号に対応する呼出周波数を検出する呼出信号検出部と、
該呼出周波数に対応する前記コード信号を生成する発信制御部と、
該コード信号に対応する前記ＤＴＭＦ信号を生成するＤＴＭＦジェネレータ部と
を備えたことを特徴とする請求項１に記載の航空管制用通信システム。
【請求項３】
前記変換装置は、
前記ゲートウェイ装置から前記ＤＴＭＦ信号が入力された場合、該ＤＴＭＦ信号に対応する前記コード信号を生成するＤＴＭＦレシーバと、
該コード信号に対応する前記呼出周波数を決定する着信制御部と、
該呼出周波数に対応する前記セルコール信号を生成する呼出信号生成部と
を備えたことを特徴とする請求項２に記載の航空管制用通信システム。
【請求項４】
前記ゲートウェイ装置は、
複数のポートを備え、
該ポートに対応したポート番号と、
前記ＩＰ網上で識別される自ＩＰアドレスとが設定され、
前記変換装置が前記ポート番号及び前記ＤＴＭＦ信号に基づいて生成されたポート番号付ＤＴＭＦ信号を送出した場合、該ポート番号、該ＤＴＭＦ信号、及び前記自ＩＰアドレスに基づいて、第２ＩＰ化信号を生成し、該生成した第２ＩＰ化信号を前記ＩＰ網に送出する
ことを特徴とする請求項３に記載の航空管制用通信システム。
【請求項５】
前記変換装置と、前記回線インタフェース装置とは、
前記ポート番号及び前記自ＩＰアドレスに基づいて接続関係が設定され、
前記ゲートウェイ装置は、
前記第２ＩＰ化信号が入力された場合、前記ポート番号及び前記自ＩＰアドレスに基づいて、該当する前記変換装置へ前記ＤＴＭＦ信号を送出する
ことを特徴とする請求項４に記載の航空管制用通信システム。
【請求項６】
セルコール信号の発着信を制御する回線インタフェース装置と、
ＤＴＭＦ信号と、ＩＰ網上を流れるＩＰ化信号とのデータ変換を行うゲートウェイ装置との間に設けられ、
前記セルコール信号と、該セルコール信号に対応するコード信号とを紐付けし、
該コード信号と、前記ＤＴＭＦ信号とを紐付けし、
前記コード信号を介して、前記セルコール信号と、前記ＤＴＭＦ信号とのデータ変換を行う
ことを特徴とする変換装置。
【請求項７】
前記回線インタフェース装置から前記セルコール信号が入力された場合、該セルコール信号に対応する呼出周波数を検出する呼出信号検出部と、
該呼出周波数に対応する前記コード信号を生成する発信制御部と、
該コード信号に対応する前記ＤＴＭＦ信号を生成するＤＴＭＦジェネレータ部と
を備えたことを特徴とする請求項６に記載の変換装置。
【請求項８】
前記ゲートウェイ装置から前記ＤＴＭＦ信号が入力された場合、該ＤＴＭＦ信号に対応する前記コード信号を生成するＤＴＭＦレシーバと、
該コード信号に対応する前記呼出周波数を決定する着信制御部と、
該呼出周波数に対応する前記セルコール信号を生成する呼出信号生成部と
を備えたことを特徴とする請求項７に記載の変換装置。
【請求項９】
セルコール信号の発着信を制御する回線インタフェース装置に接続され、前記セルコール信号と、ＤＴＭＦ信号との紐付けを行い、前記セルコール信号と、前記ＤＴＭＦ信号とのデータ変換を行う変換装置と通信を行うゲートウェイ装置であって、
複数のポートを備え、
該ポートに対応したポート番号と、
ＩＰ網上で識別される自ＩＰアドレスとが設定され、
前記変換装置が前記ポート番号及び前記ＤＴＭＦ信号に基づいて生成されたポート番号付ＤＴＭＦ信号を送出した場合、該ポート番号、該ＤＴＭＦ信号、及び前記自ＩＰアドレスに基づいて、第２ＩＰ化信号を生成し、該生成した第２ＩＰ化信号を前記ＩＰ網に送出する
ことを特徴とするゲートウェイ装置。
【請求項１０】
前記変換装置と、前記回線インタフェース装置とは、
前記ポート番号及び前記自ＩＰアドレスに基づいて接続関係が設定され、
前記第２ＩＰ化信号が入力された場合、前記ポート番号及び前記自ＩＰアドレスに基づいて、該当する前記変換装置へ前記ＤＴＭＦ信号を送出する
ことを特徴とする請求項９に記載のゲートウェイ装置。
【発明の詳細な説明】
【技術分野】
【０００１】
本発明は、航空管制用通信システム、変換装置、及びゲートウェイ装置に関し、特に、セルコール信号から所定の形式のコード信号を介して変換されたＤＴＭＦ（Ｄｕａｌ−Ｔｏｎｅ  Ｍｕｌｔｉ−Ｆｒｅｑｕｅｎｃｙ）信号を送出することにより、セルコール信号の発着信制御をする航空管制用通信システム、変換装置、及びゲートウェイ装置に関する。
【背景技術】
【０００２】
従来、航空管制用通信システムにおいて、官署間の通信回線はアナログ回線が利用されている。このアナログ回線の回線インターフェースの通信種別は数種類のものがあり、例えば、磁石式インタフェースがある。また、別の種類の回線インタフェースとして、例えば、セルコール方式インタフェースがある。
セルコール方式インタフェースは、例えば、５種類の呼出周波数、すなわち、セルコール信号に対応する釦が各管制卓に割り付けられており、この割り付けられた周波数が用いられることにより、呼出側の管制卓から呼応側の管制卓が選択され、相手が呼び出されるものである。
【０００３】
図８を用いてセルコール信号が用いられた官署間通信の一例を説明する。図８は、従来の航空管制用通信システムの概略構成の一例を示す図である。図８に示すように、官署Ａには、管制卓＃１〜管制卓＃Ｎが設けられている。管制卓＃１から発せられたセルコール信号は、交換機２０で接続先が確立された後、セルコール用回線インタフェース基板３０により所定の形式に変換され、アナログ回線１００を介して官署Ｂへ送信される。
官署Ｂには、管制卓＃１〜管制卓＃Ｎが設けられている。アナログ回線１００を介して送信されたセルコール信号は、セルコール用回線インタフェース基板３２により所定の形式に変換された後、交換機２０により接続先が確立され、管制卓＃Ｎに送信される。
【０００４】
具体的には、官署Ａ側の管制卓＃１に設けられている呼出周波数１２２５Ｈｚが割り付けられた釦が選択されたとき、管制卓＃１から発信されたセルコール信号は、呼出周波数１２２５Ｈｚが割り付けられた釦が設けられている官署Ｂ側の管制卓＃Ｎに着信する。
このとき、官署Ａ側のセルコール用回線インタフェース基板３０がセルコール信号の送出を行い、官署Ｂ側のセルコール用回線インタフェース基板３２が送出されたセルコール信号に対応する呼出周波数の検出処理が行われている。
【０００５】
また、官署Ａ側の管制卓＃２に設けられている呼出周波数２３００Ｈｚが割り付けられた釦が選択されたとき、管制卓＃２から発信されたセルコール信号は、呼出周波数２３００Ｈｚが割り付けられた釦が設けられている官署Ｂ側の管制卓＃１に着信する。
このとき、上記で説明した処理と同様に、官署Ａ側のセルコール用回線インタフェース基板３０及び官署Ｂ側のセルコール用回線インタフェース基板３２はセルコール信号に関する処理を実行する。
【０００６】
また、官署Ａ側の管制卓＃Ｎに設けられている呼出周波数７００Ｈｚが割り付けられた釦が選択されたとき、管制卓＃Ｎから発信されたセルコール信号は、呼出周波数７００Ｈｚが割り付けられた釦が設けられている官署Ｂ側の管制卓＃２に着信する。
このとき、上記で説明した処理と同様に、官署Ａ側のセルコール用回線インタフェース基板３０及び官署Ｂ側のセルコール用回線インタフェース基板３２はセルコール信号に関する処理を実行する。
【０００７】
つまり、官署Ａと官署Ｂとを接続する回線、すなわち、アナログ回線１００は共有されて利用されるものであり、従来の航空管制用通信システムでは、異なる周波数が同時に選択され、同時に通信を行う構成ではないものとなっている。
例えば、従来例において、送信側（又は受信側）と受信側（又は送信側）とのそれぞれに、固有の周波数又は電話番号が設定され、リレー交換機により音声信号回線の接続や遮断が実行される。このため、通信の際には、音声信号回線が専有されるため、異なる周波数が同時に選択され、同時に通信を行う構成とはならない（例えば、特許文献１参照）。
【先行技術文献】
【特許文献】
【０００８】
【特許文献１】特開２０００−１１２３３１号公報（段落［０００４］）
【発明の概要】
【発明が解決しようとする課題】
【０００９】
上記で説明したような従来の航空管制用通信システムにおいては、セルコール方式インタフェースで変換された信号を、アナログ回線１００ではなくそのままＩＰ網を介して送出した場合、アナログ回線１００のときのようにはセルコール信号の発着信が行われなかった。
例えば、セルコールに使用される５つの周波数は、１２２５Ｈｚ、１６００Ｈｚ、７００Ｈｚ、２３００Ｈｚ、及び２９００Ｈｚといったように航空局独自のものであり、この独自のセルコール方式で処理されるセルコール信号をＩＰ網により音声通信を行うインタフェース変換装置は汎用品には現状存在していなかった。
また、例えば、セルコール信号をＩＰ化する変換装置を新規に開発する際、単純にそのままセルコール信号をＩＰ化しただけでは、呼出周波数と通話音声との区別ができなかった。
つまり、従来の航空管制用通信システムにおいては、ＩＰ網を介して音声通信を行ったとしても、セルコール信号の発着信制御ができないという問題点があった。
そこで、ＩＰ網を介して音声通信を行ったとしても、セルコール信号の発着信制御をすることができる航空管制用通信システム、変換装置、及びゲートウェイ装置が望まれていた。
【課題を解決するための手段】
【００１０】
本発明では、少なくとも１つの第１装置と、少なくとも１つの第２装置とを備え、前記第１装置と前記第２装置とがＩＰ網を介して通信を行う航空管制用通信システムであって、前記第１装置及び前記第２装置のそれぞれは、セルコール信号の発着信を制御する回線インタフェース装置と、前記セルコール信号と、ＤＴＭＦ信号とのデータ変換を行う変換装置と、前記ＤＴＭＦ信号と、前記ＩＰ網上を流れるＩＰ化信号とのデータ変換を行うゲートウェイ装置とを備え、前記変換装置は、前記回線インタフェース装置と、前記ゲートウェイ装置との間に設けられ、前記セルコール信号と、該セルコール信号に対応するコード信号とを紐付けし、該コード信号と、前記ＤＴＭＦ信号とを紐付けし、前記コード信号を介して、前記セルコール信号と、ＤＴＭＦ信号とのデータ変換を行うものである。
【００１１】
本発明の航空管制用通信システムにおいて、前記変換装置は、前記回線インタフェース装置から前記セルコール信号が入力された場合、該セルコール信号に対応する呼出周波数を検出する呼出信号検出部と、該呼出周波数に対応する前記コード信号を生成する発信制御部と、該コード信号に対応する前記ＤＴＭＦ信号を生成するＤＴＭＦジェネレータ部とを備えたものである。
【００１２】
本発明の航空管制用通信システムにおいて、前記変換装置は、前記ゲートウェイ装置から前記ＤＴＭＦ信号が入力された場合、該ＤＴＭＦ信号に対応する前記コード信号を生成するＤＴＭＦレシーバと、該コード信号に対応する前記呼出周波数を決定する着信制御部と、該呼出周波数に対応する前記セルコール信号を生成する呼出信号生成部とを備えたものである。
【００１３】
本発明の航空管制用通信システムにおいて、前記ゲートウェイ装置は、複数のポートを備え、該ポートに対応したポート番号と、前記ＩＰ網上で識別される自ＩＰアドレスとが設定され、前記変換装置が前記ポート番号及び前記ＤＴＭＦ信号に基づいて生成されたポート番号付ＤＴＭＦ信号を送出した場合、該ポート番号、該ＤＴＭＦ信号、及び前記自ＩＰアドレスに基づいて、第２ＩＰ化信号を生成し、該生成した第２ＩＰ化信号を前記ＩＰ網に送出するものである。
【００１４】
本発明の航空管制用通信システムにおいて、前記変換装置と、前記回線インタフェース装置とは、前記ポート番号及び前記自ＩＰアドレスに基づいて接続関係が設定され、前記ゲートウェイ装置は、前記第２ＩＰ化信号が入力された場合、前記ポート番号及び前記自ＩＰアドレスに基づいて、該当する前記変換装置へ前記ＤＴＭＦ信号を送出するものである。
【００１５】
本発明の変換装置は、セルコール信号の発着信を制御する回線インタフェース装置と、ＤＴＭＦ信号と、ＩＰ網上を流れるＩＰ化信号とのデータ変換を行うゲートウェイ装置との間に設けられ、前記セルコール信号と、該セルコール信号に対応するコード信号とを紐付けし、該コード信号と、前記ＤＴＭＦ信号とを紐付けし、前記コード信号を介して、前記セルコール信号と、前記ＤＴＭＦ信号とのデータ変換を行うものである。
【００１６】
本発明の変換装置は、前記回線インタフェース装置から前記セルコール信号が入力された場合、該セルコール信号に対応する呼出周波数を検出する呼出信号検出部と、該呼出周波数に対応する前記コード信号を生成する発信制御部と、該コード信号に対応する前記ＤＴＭＦ信号を生成するＤＴＭＦジェネレータ部とを備えたものである。
【００１７】
本発明の変換装置は、前記ゲートウェイ装置から前記ＤＴＭＦ信号が入力された場合、該ＤＴＭＦ信号に対応する前記コード信号を生成するＤＴＭＦレシーバと、該コード信号に対応する前記呼出周波数を決定する着信制御部と、該呼出周波数に対応する前記セルコール信号を生成する呼出信号生成部とを備えたものである。
【００１８】
本発明のゲートウェイ装置は、セルコール信号の発着信を制御する回線インタフェース装置に接続され、前記セルコール信号と、ＤＴＭＦ信号との紐付けを行い、前記セルコール信号と、前記ＤＴＭＦ信号とのデータ変換を行う変換装置と通信を行うゲートウェイ装置であって、複数のポートを備え、該ポートに対応したポート番号と、ＩＰ網上で識別される自ＩＰアドレスとが設定され、前記変換装置が前記ポート番号及び前記ＤＴＭＦ信号に基づいて生成されたポート番号付ＤＴＭＦ信号を送出した場合、該ポート番号、該ＤＴＭＦ信号、及び前記自ＩＰアドレスに基づいて、第２ＩＰ化信号を生成し、該生成した第２ＩＰ化信号を前記ＩＰ網に送出するものである。
【００１９】
本発明のゲートウェイ装置は、前記変換装置と、前記回線インタフェース装置とは、前記ポート番号及び前記自ＩＰアドレスに基づいて接続関係が設定され、前記第２ＩＰ化信号が入力された場合、前記ポート番号及び前記自ＩＰアドレスに基づいて、該当する前記変換装置へ前記ＤＴＭＦ信号を送出するものである。
【発明の効果】
【００２０】
本発明は、セルコール信号から所定の形式のコード信号を介して変換されたＤＴＭＦ信号を送出することにより、ＩＰ網を介して音声通信を行ったとしても、セルコール信号の発着信制御をすることができるという効果を有する。
【図面の簡単な説明】
【００２１】
【図１】本発明の実施の形態１における航空管制用通信システムの概略構成の一例を示す図である。
【図２】本発明の実施の形態１における変換装置５０の概略構成の一例を示す図である。
【図３】本発明の実施の形態１におけるセルコール周波数と、ＤＴＭＦ信号と、コードとの対応関係の一例を示す図である。
【図４】本発明の実施の形態２におけるアナログ回線の場合の官署間通信の一例を示す図である。
【図５】本発明の実施の形態２におけるＤＴＭＦ信号をそのままＩＰ網に送出した場合の官署間通信の一例を示す図である。
【図６】本発明の実施の形態２におけるＤＴＭＦ信号を識別可能に修正してＩＰ網に送出した場合の官署間通信の一例を示す図である。
【図７】本発明の実施の形態２における変換装置５０の概略構成の一例を示す図である。
【図８】従来の航空管制用通信システムの概略構成の一例を示す図である。
【発明を実施するための形態】
【００２２】
以下、本発明の実施の形態１について、図面を用いて詳細に説明する。
【００２３】
実施の形態１．
＜構成の説明＞
図１は、本発明の実施の形態１における航空管制用通信システムの概略構成の一例を示す図である。本発明の実施の形態１における航空管制用通信システムは、セルコール信号から所定の形式のコード信号を介して変換されたＤＴＭＦ信号を送出することにより、ＩＰ網を介して音声通信を行ったとしても、セルコール信号の発着信制御をすることができるものである。
図１に示すように、航空管制用通信システムは、官署Ａと、官署Ｂとが、ＩＰ網２００を介して通信を行う。
【００２４】
官署Ａは、航空機を管制するものであり、適宜、他の官署、例えば、官署Ｂと通信を行う。官署Ａは、管制卓＃１、管制卓＃２、・・・管制卓＃Ｎ−１、及び管制卓＃Ｎ、交換機２０、セルコール用回線インタフェース基板３０、変換装置５０、ゲートウェイ装置６０、並びにレイヤ３スイッチ７０等を備える。
【００２５】
管制卓＃１〜管制卓＃Ｎのそれぞれは、５種類の航空局独自の呼出周波数、すなわち、セルコール信号に対応する釦が割り付けられており、割り付けられた呼出周波数により呼び出す相手が選択されるセルコール方式のインタフェースである。
なお、航空局独自の呼出周波数は、例えば、１２２５Ｈｚ、１６００Ｈｚ、７００Ｈｚ、２３００Ｈｚ、及び２９００Ｈｚが割り当てられており、高周波数の信号と低周波数の信号とが合成されることにより生成されるＤＴＭＦ信号とは異なる周波数となっている。
例えば、管制卓＃１には、呼出周波数、すなわち、セルコール周波数１２２５Ｈｚが割り付けられており、管制卓＃２には、セルコール周波数２３００Ｈｚが割り付けられており、管制卓＃Ｎには、セルコール周波数７００Ｈｚが割り付けられている。
【００２６】
交換器２０は、発信者の要求に基づいて伝送路間の接続を切り替えることにより、発信者と着信者との間の通信回線を構成する通信機器である。
【００２７】
セルコール用回線インタフェース基板３０は、セルコール信号の送出処理及び検出処理を行うことにより、セルコール信号の発着信を制御する回線インタフェース基板である。
セルコール用回線インタフェース基板３０は、セルコール信号の送出時には、セルコール信号を送出すると共に、ＳＳ信号、すなわち、送信信号を送出する。セルコール用回線インタフェース基板３０は、セルコール信号の検出時には、セルコール信号を検出すると共に、ＳＲ信号、すなわち、受信信号を検出する。
なお、ＳＳ信号は通常電話時に、発信者が送受器を上げたことを示すとき等に発生する信号であり、ＳＲ信号は通常電話時に、着信者が応答したことを示すとき等に発生する信号であり、いずれも接続先を指定するものである。
また、セルコール用回線インタフェース基板３０は、例えば、Ｇ．７１１の規格に準拠した音声符号化処理を実行する。
【００２８】
変換装置５０は、詳細については図２を用いて説明するが、セルコール用回線インタフェース基板３０と、ゲートウェイ装置６０との間に設けられ、セルコール信号と、ＤＴＭＦ信号との紐付けを行い、セルコール信号と、ＤＴＭＦ信号とのデータ変換を行うものである。
【００２９】
ゲートウェイ装置６０は、ＤＴＭＦ信号と、ＩＰ網上を流れるＩＰ化信号とのデータ変換を行うＶｏＩＰゲートウェイ装置である。具体的には、ゲートウェイ装置６０は、送信側では音声信号等をＩＰパケット等のＩＰ化された信号に変換し、受信側ではＩＰパケット等のＩＰ化された信号から音声信号等に変換することにより、アナログ電話機やＰＢＸ等をＩＰ電話で利用できるようにするものである。
すなわち、ゲートウェイ装置６０は、アナログ側に対しては、ＯＤ（Ｏｕｔ  ｂａｎｄ  Ｄｉａｌｉｎｇ）インタフェースの機能を有するものである。
【００３０】
レイヤ３スイッチ７０は、通常のＬＡＮスイッチ、すなわち、レイヤ２スイッチに、レイヤ３レベルのＩＰアドレスによる経路制御の機能を追加したものであり、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等のハードウェアによる処理によって、ＩＰアドレスの経路制御が実行されるものである。
すなわち、レイヤ３スイッチ７０は、実装されたルーティング機能を使用することにより、ＩＰ化信号を目的のＩＰアドレスに対応する出力ポートに転送するものである。
【００３１】
官署Ｂは、航空機を管制するものであり、適宜、他の官署、例えば、官署Ａと通信を行う。官署Ｂは、管制卓＃１、管制卓＃２、・・・管制卓＃Ｎ−１、及び管制卓＃Ｎ、交換機２２、セルコール用回線インタフェース基板３２、変換装置５２、ゲートウェイ装置６２、並びにレイヤ３スイッチ７２等を備える。
官署Ｂの各構成要素及びその機能は、官署Ａの各構成要素及びその機能と同一であるので、その説明については省略する。
なお、官署Ｂの管制卓＃１〜＃Ｎについては、割り付けられた呼出周波数が官署Ａの管制卓＃１〜＃Ｎとは異なる。例えば、管制卓＃１には、セルコール周波数２３００Ｈｚが割り付けられており、管制卓＃２には、セルコール周波数７００Ｈｚが割り付けられており、管制卓＃Ｎには、セルコール周波数１２２５Ｈｚが割り付けられている。
【００３２】
ＩＰ網２００は、インターネットプロトコルを用いた通信網のことであり、その規模については特に限定しないものとする。
【００３３】
なお、官署Ａ及び官署Ｂとは、航空管制に関わる官署を意味するものとする。
なお、上記の説明では、官署Ａと官署Ｂとが存在する場合について説明した。また、以降の説明では、官署Ａと官署Ｂとの通信について説明していくが、官署Ｃ（図示せず）等のように他の官署が複数存在する場合であってもよい。
なお、「セルコール用回線インタフェース基板３０」及び「セルコール用回線インタフェース基板３２」のそれぞれは、本発明における「回線インタフェース装置」に相当する。
また、「セルコール用回線インタフェース基板３０」と、「変換装置５０」と、「ゲートウェイ装置６０」とを備えたものは、本発明における「第１装置」に相当する。
また、「セルコール用回線インタフェース基板３２」と、「変換装置５２」と、「ゲートウェイ装置６２」とを備えたものは、本発明における「第２装置」に相当する。
【００３４】
図２は、本発明の実施の形態１における変換装置５０の概略構成の一例を示す図である。図２に示すように、変換装置５０は、セルコール用回線インタフェース基板３０と各種信号の送受信を行うＰＯＲＴ８０と、ゲートウェイ装置６０と各種信号の送受信を行うＰＯＲＴ９０とを備える。
【００３５】
変換装置５０は、セルコール用回線インタフェース基板３０から送信されるセルコール信号（以後、送信側セルコール信号と称する）を所定の形式のＤＴＭＦ信号（以後、送信側ＤＴＭＦ信号と称する）に変換し、ゲートウェイ装置６０へ送出する第１回路５１ａと、ゲートウェイ装置６０から送信されるＤＴＭＦ信号（以後、受信側ＤＴＭＦ信号と称する）を所定の形式のセルコール信号（以後、受信側セルコール信号と称する）に変換し、セルコール用回線インタフェース基板３０に送出する第２回路５１ｂとを備える。
変換装置５０は、セルコール用回線インタフェース基板３０との送受信については、ＰＯＲＴ８０を介して行い、ゲートウェア装置６０との送受信については、ＰＯＲＴ９０を介して行う。
【００３６】
ＰＯＲＴ８０は、第１回路５１ａ側には、端子８１及び端子８２を構成し、第２回路５１ｂ側には、端子８３及び端子８４を構成する。
ＰＯＲＴ９０は、第１回路５１ａ側には、端子９１及び端子９２を構成し、第２回路５１ｂ側には、端子９３及び端子９４を構成する。
【００３７】
第１回路５１ａは、ＰＨＣ回路３０１、変成器３０２、ＡＭＰ回路３０３、ＡＭＰ回路３０４、ＣＯＤＥＣ回路３０５、呼出信号検出部３０６、発信制御部３０７、ＲＬ回路３０８、ＲＬａスイッチ３０９、ＲＬｂスイッチ３１０、ＤＴＭＦジェネレータ部３１１、ＡＭＰ回路３１２、ＡＭＰ回路３１３、及び変成器３１４等を備える。
【００３８】
ＰＨＣ回路３０１は、フォトカプラ回路である。ＰＨＣ回路３０１は、セルコール用回線インタフェース基板３０から端子８１を介して入力されたＳＳ信号の入力が地気レベル（ＧＮＤレベル）の場合にＯＮ（アクティブ）となり、その間、発信制御部３０７に対して入力部と絶縁された地気信号を出力し続ける回路である。
【００３９】
変成器３０２は、セルコール用回線インタフェース基板３０から端子８１を介して入力された送信側セルコール信号のうち、直流成分を遮断したものをＡＭＰ回路３０３及びＡＭＰ回路３０４に供給することにより、変換装置５０とセルコール用回線インタフェース基板３０とを電気的に結合するものである。
【００４０】
ＡＭＰ回路３０３は、変成器３０２から供給された信号を増幅してＣＯＤＥＣ部３０５に供給するものである。
ＡＭＰ回路３０４は、変成器３０２から供給された信号を増幅し、ＲＬｂスイッチ３１０の一方の入力端に供給するものである。なお、ＲＬｂスイッチ３１０のもう一方の入力端は、ＡＭＰ回路３１２の出力端と接続されている。
【００４１】
ＣＯＤＥＣ部３０５は、直流成分が遮断され、増幅されたアナログ信号である送信側セルコール信号をデジタル信号に変換するものである。
【００４２】
呼出信号検出部３０６は、例えば、ＤＳＰ（Ｄｉｇｉｔａｌ  Ｓｉｇｎａｌ  Ｐｒｏｃｅｓｓｏｒ）で構成され、送信側セルコール信号に対応する呼出周波数を検出するものである。具体的には、呼出信号検出部３０６は、航空機独自の周波数を検出するものであり、そのような周波数は、例えば、１２２５Ｈｚ、１６００Ｈｚ、７００Ｈｚ、２３００Ｈｚ、及び２９００Ｈｚのいずれかである。
【００４３】
発信制御部３０７は、ゲートウェイ装置６０に対するＳＳ信号の送出処理と、検出した呼出周波数に対応するコード信号の生成処理とを行う。具体的には、発信制御部３０７は、ＰＨＣ回路３０１がＯＮとなっている間、リレー回路であるＲＬ回路３０８に対して制御信号を供給し、ＲＬａスイッチ３０９と、ＲＬｂスイッチとを駆動させる。より具体的には、ＲＬ回路３０８は、ＲＬａスイッチ３０９を駆動させることにより、閉回路を形成し、端子９１を介してＳＳ信号をゲートウェイ装置６０に供給する。また、ＲＬ回路３０８は、ＲＬｂスイッチ３１０を駆動させることにより、ＡＭＰ回路３１２と、ＡＭＰ回路３１３とを接続させる。
発信制御部３０７で生成されたコード信号は、ＤＴＭＦジェネレータ部３１１に供給される。ＤＴＭＧジェネレータ部３１１は、供給されたコード信号からＤＴＭＦ信号を生成し、ＡＭＰ回路３１２に供給する。
【００４４】
ここで、発信制御部３０７が検出した呼出周波数に対応するコード信号が生成される処理と、ＤＴＭＦジェネレータ部３１１に供給されたコード信号からＤＴＭＦ信号が生成される処理とについて図３を用いて説明する。
【００４５】
図３は、本発明の実施の形態１におけるセルコール周波数と、ＤＴＭＦ信号と、コードとの対応関係の一例を示す図である。図３に示すように、セルコール周波数が１２２５Ｈｚの場合、コードとして符号１が設定されている。コードが符号１の場合、ＤＴＭＦ信号として符号１が設定されている。
ここで、コードとして符号１が設定された場合、符号１に相当するコード信号が生成されることになる。
つまり、送信側セルコール信号から検出されたセルコール周波数が１２２５Ｈｚの場合、コード信号を介して、ＤＴＭＦ信号として符号１が設定される。
すなわち、セルコール信号と、そのセルコール信号に対応するコード信号とが紐付けられており、コード信号と、ＤＴＭＦ信号とが紐付けられており、そのような紐付けを前提として、コード信号を介してセルコール信号と、ＤＴＭＦ信号とのデータ変換が行われる。
換言すれば、ここでいうデータ変換とは、セルコール信号群からコード信号群を介してなされるＤＴＭＦ信号群への写像である。
【００４６】
他のセルコール周波数に対しても同様に紐付けがなされている。具体的には、セルコール周波数が１６００Ｈｚの場合、コードとして符号２が設定されている。コードが符号２の場合、ＤＴＭＦ信号として符号２が設定されている。
ここで、コードとして符号２が設定された場合、符号２に相当するコード信号が生成されることになる。
つまり、送信側セルコール信号から検出されたセルコール周波数が１６００Ｈｚの場合、コード信号を介して、ＤＴＭＦ信号２が設定される。
【００４７】
また、セルコール周波数が７００Ｈｚの場合、コードとして符号３が設定されている。コードが符号３の場合、ＤＴＭＦ信号として符号３が設定されている。
ここで、コードとして符号３が設定された場合、符号３に相当するコード信号が生成されることになる。
つまり、送信側セルコール信号から検出されたセルコール周波数が７００Ｈｚの場合、コード信号を介して、ＤＴＭＦ信号３が設定される。
【００４８】
また、セルコール周波数が２３００Ｈｚの場合、コードとして符号４が設定されている。コードが符号４の場合、ＤＴＭＦ信号として符号４が設定されている。
ここで、コードとして符号４が設定された場合、符号４に相当するコード信号が生成されることになる。
つまり、送信側セルコール信号から検出されたセルコール周波数が２３００Ｈｚの場合、コード信号を介して、ＤＴＭＦ信号４が設定される。
【００４９】
また、セルコール周波数が２９００Ｈｚの場合、コードとして符号５が設定されている。コードが符号５の場合、ＤＴＭＦ信号として符号５が設定されている。
ここで、コードとして符号５が設定された場合、符号５に相当するコード信号が生成されることになる。
つまり、送信側セルコール信号から検出されたセルコール周波数が２９００Ｈｚの場合、コード信号を介して、ＤＴＭＦ信号５が設定される。
【００５０】
換言すれば、上記で説明したように、セルコール信号と、そのセルコール信号に対応するコード信号とが紐付けられており、コード信号と、ＤＴＭＦ信号とが紐付けられており、そのような紐付けを前提として、コード信号を介してセルコール信号と、ＤＴＭＦ信号とのデータ交換が行われる。
【００５１】
なお、上記で説明したセルコール周波数と、コードと、ＤＴＭＦ信号との対応関係は一例を示すものであり、これに限定されるものではない。
【００５２】
図２に戻る。ＲＬａスイッチ３０９は、ＲＬ回路３０８から供給される信号に基づいて開閉制御されるスイッチであり、ＲＬ回路３０８から制御信号が供給されないときには開いた状態となり、ＲＬ回路３０８から制御信号が供給されるときには閉じた状態となる。ＲＬａスイッチ３０９は、ＲＬ回路３０８から制御信号が供給され、端子９１を介してＳＳ信号がゲートウェイ装置６０に供給されることにより、変換装置５０からゲートウェイ装置６０へＳＳ信号が端子９１を介して供給される。
【００５３】
ＲＬ回路３０８によりＡＭＰ回路３１２とＡＭＰ回路３１３とが接続されている場合、ＡＭＰ回路３１２に供給されたＤＴＭＦ信号は、変成器３１４に供給される。
【００５４】
変成器３１４は、ＡＭＰ回路３１３から入力された信号のうち、直流成分を遮断したものを送信側ＤＴＭＦ信号として端子９２に供給することにより、変換装置５０とゲートウェア装置６０とを端子９２を介して電気的に結合するものである。
【００５５】
ゲートウェイ装置６０は、ＤＴＭＦ信号が変換装置５０から供給された場合、供給されたＤＴＭＦ信号を電話番号として、官署Ａ側のレイヤ３スイッチ７０及び官署Ｂ側のレイヤ３スイッチ７２で経路制御された経路を通り、官署Ｂ側のゲートウェイ装置６２へ供給する。
ゲートウェア装置６０に送信側ＤＴＭＦ信号が供給された後、ＲＬｂスイッチ３１０は、ＡＭＰ回路３０４と、ＡＭＰ回路３１３とが接続された状態となる。つまり、ＲＬｂスイッチ３１０は、セルコール用回線インタフェース基板３０の送信ライン側と接続する。
【００５６】
第２回路５１ｂは、変成器３３０、ＡＭＰ回路３３１、ＡＭＰ回路３３２、ＤＴＭＦレシーバ部３３３、ＰＨＣ回路３４１、着信制御部３４２、呼出信号生成部３４３、ＣＯＤＥＣ部３４４、ＲＬ回路３４５、ＲＬｃスイッチ３４６、ＲＬｄスイッチ３４７、ＡＭＰ回路３４８、及び変成器３４９等を備える。
【００５７】
変成器３３０は、ゲートウェイ装置６２から端子９３を介して入力された受信側ＤＴＭＦ信号のうち、直流成分を遮断したものをＡＭＰ回路３３１及びＡＭＰ回路３３２に供給することにより、変換装置５０とゲートウェア装置６０とを電気的に結合するものである。
【００５８】
ＡＭＰ回路３３１は、変成器３３０から供給された信号を増幅し、ＲＬｄスイッチ３４７の一方の入力端に供給するものである。なお、ＲＬｄスイッチ３４７のもう一方の入力端はＣＯＤＥＣ部３４４の出力端と接続されている。
ＡＭＰ回路３３２は、変成器３３０から供給された信号を増幅してＤＴＭＦレシーバ部３３３に供給するものである。
【００５９】
ＤＴＭＦレシーバ部３３３は、直流成分が遮断されて増幅された受信側ＤＴＭＦ信号から対応するコード信号を生成し、生成したコード信号を着信制御部３４２に供給する。
【００６０】
ＰＨＣ回路３４１は、フォトカプラ回路である。ＰＨＣ回路３４１は、ゲートウェイ装置６０から端子９４を介して入力されたＳＲ信号の入力が地気レベル（ＧＮＤレベル）の場合にＯＮ（アクティブ）となり、その間、入力部と絶縁された地気信号を出力し続ける回路である。
【００６１】
着信制御部３４２は、セルコール用回線インタフェース基板３２に対するＳＲ信号の送出処理と、着信した受信側ＤＴＭＦ信号に対応するコード信号の生成処理とを行う。具体的には、着信制御部３４２は、ＰＨＣ回路３４１がＯＮとなっている間、リレー回路であるＲＬ回路３４５に対して制御信号を供給し、ＲＬｃスイッチ３４６と、ＲＬｄスイッチ３４７とを駆動させる。より具体的には、ＲＬ回路３４５は、ＲＬｃスイッチ３４６を駆動させることにより、閉回路を形成し、端子８４を介してＳＲ信号をセルコール用回線インタフェース基板３０に供給する。また、ＲＬ回路３４５は、ＲＬｄスイッチ３４７を駆動させることにより、ＡＭＰ回路３４８と、ＣＯＤＥＣ部３４４とを接続させる。
着信制御部３４２は、ＤＴＭＦレシーバ部３３３から供給されたコード信号から対応するセルコール周波数を決定し、決定したセルコール周波数を呼出信号生成部３４３に供給する。
【００６２】
呼出信号生成部３４３は、供給されたセルコール周波数に対応したセルコール信号を生成し、生成したセルコール信号をＣＯＤＥＣ部３４４に供給する。
なお、受信側ＤＴＭＦ信号と、コード信号と、セルコール周波数との対応関係は、上記で説明した場合と同様であるため、ここではその説明については省略する。
【００６３】
ＣＯＤＥＣ部３４４は、直流成分が遮断され、増幅されたデジタル信号である受信側ＤＴＭＦ信号から生成されたセルコール信号をアナログ信号に変換するものである。
【００６４】
ＲＬｃスイッチ３４６は、ＲＬ回路３４５から供給される信号に基づいて開閉制御されるスイッチであり、ＲＬ回路３４５から制御信号が供給されないときには開いた状態となり、ＲＬ回路３４５から制御信号が供給されるときには閉じた状態となる。ＲＬｃスイッチは、ＲＬ回路３４５から制御信号が供給され、端子８４を介してＳＲ信号がセルコール用回線インタフェース基板３２に供給されることにより、変換装置５０からセルコール用回線インタフェース基板３２へＳＲ信号が端子８４を介して供給される。
【００６５】
変成器３４９は、ＡＭＰ回路３４８から入力された信号のうち、直流成分を遮断したものを受信側セルコール信号として端子８３に供給することにより、変換装置５０とセルコール用回線インタフェース基板３２とを端子８３を介して電気的に結合するものである。
【００６６】
セルコール用回線インタフェース基板３２は、セルコール信号が変換装置５２から供給された場合、供給されたセルコール信号を、交換機２２を介して、官署Ｂ側の管制卓＃１〜管制卓＃Ｎのいずれか該当するところへ供給される。
セルコール用回線インタフェース基板３２にセルコール信号が供給された後、ＲＬｄスイッチ３４７は、ＡＭＰ回路３４８と、ＡＭＰ回路３３１とが接続された状態となる。つまり、ＲＬｄスイッチ３４７は、ゲートウェイ装置６２の受信ライン側と接続する。
【００６７】
すなわち、変換装置５０は、セルコール用回線インタフェース基板３０、３２と、ゲートウェイ装置６０、６２との間に設けられ、セルコール信号と、このセルコール信号に対応するコード信号とを紐付けし、このコード信号と、ＤＴＭＦ信号とを紐付けし、コード信号を介してデータ変換を行うものである。
具体的には、変換装置５０は、セルコール用回線インタフェース基板３０からセルコール信号が入力されてた場合、入力されたセルコール信号に対応する呼出周波数を検出し、検出した呼出周波数に対応するコード信号を生成し、生成したコード信号に対応するＤＴＭＦ信号を生成する。
また、変換装置５０は、ゲートウェイ装置６０からＤＴＭＦ信号が入力された場合、入力されたＤＴＭＦ信号に対応するコード信号を生成し、生成したコード信号に対応する呼出周波数を決定し、決定した呼出周波数に対応するセルコール信号を生成する。
このようにすることで、変換装置５０は、セルコール信号と、ＤＴＭＦ信号とのデータ変換を行う。
【００６８】
なお、上記の説明では、変換装置５０の構成及び機能等について説明したが、変換装置５２の構成及び機能等についても同様のものである。
【００６９】
＜動作の説明＞
上記で説明した構成を前提にして、官署Ａの管制卓＃１で１２２５Ｈｚの釦が操作されることにより、発信操作が行われた場合の動作の流れについて図１、２を用いて説明する。
【００７０】
まず、管制卓＃１からの発信操作により、交換機２０を介し、セルコール用回線インタフェース基板３０は、変換装置５０に対してＳＳ信号を送出する。このとき、セルコール用回線インタフェース基板３０は、変換装置５０に対して、セルコール周波数１２２５Ｈｚのセルコール信号を送出する。
【００７１】
次に、変換装置５０は、セルコール用回線インタフェース基板３０からのＳＳ信号により、官署Ａの管制卓＃１からの発信を検出する。変換装置５０は、送信ライン上のセルコール信号をＣＯＤＥＣ部３０５にてＡ／Ｄ変換し、呼出信号検出部３０６にて５つのセルコール周波数のうち、どのセルコール周波数に相当するセルコール信号が入力されたかを検出する呼出信号検出処理を行う。
【００７２】
次に、変換装置５０は、発信制御部３０７の制御によりゲートウェイ装置６０に対するＳＳ信号の送出を行う。変換装置５０は、発信制御部３０７の制御によりコード化される。
【００７３】
次に、変換装置５０は、ＤＴＭＦジェネレータ部３１１にてコード化されたコード信号をＤＴＭＦ信号に変換し、ゲートウェイ装置６０側の送信ラインへ送出を行う。
【００７４】
次に、ゲートウェイ装置６０は、変換装置５０からのＤＴＭＦ信号を電話番号として官署Ｂのゲートウェイ装置６２へ、レイヤ３スイッチ７０、ＩＰ網２００、及びレイヤ３スイッチ７２を介して伝送する。
【００７５】
次に、変換装置５２では、ゲートウェイ装置６２から送出されたＳＲ信号と、ゲートウェイ装置６２から受信ラインに送出されたＤＴＭＦ信号とにより着信を検出する。
【００７６】
次に、変換装置５２は、着信制御部３４２によりセルコール用回線インタフェース基板３２に対するＳＲ信号を送出する。変換装置５２は、ＤＴＭＦレシーバ部３３３にてＤＴＭＦ信号をコード化したものを着信制御部３４２へ送出する。
【００７７】
次に、変換装置５２は、着信制御部３４２にてセルコール周波数を決定し、呼出信号生成部３４３にて決定したセルコール周波数に対応したセルコール信号を生成し、ＣＯＤＥＣ部３４４にてＤ／Ａ変換し、セルコール用回線インタフェース基板３２の受信ラインに送出を行う。
【００７８】
次に、セルコール用回線インタフェース基板３２は、セルコール周波数１２２５Ｈｚのセルコール信号の着信検出を行い、管制卓＃Ｎに着信を行う。
【００７９】
＜効果の説明＞
このように、セルコール用回線インタフェース基板３０、３２と、ゲートウェイ装置６０、６２との間に、変換装置５０、５２を設けることにより、航空管制システムの運用者側からの呼出操作を変更することなく、アナログ回線をＩＰ網２００に乗せ変えることができる。
換言すれば、セルコール信号から所定の形式のコード信号を介して変換されたＤＴＭＦ信号を送出することにより、ＩＰ網２００を介して音声通信を行ったとしても、セルコール信号の発着信制御をすることができる。
【００８０】
以上のように、本実施の形態１では、少なくとも１つの第１装置と、少なくとも１つの第２装置とを備え、第１装置と第２装置とがＩＰ網２００を介して通信を行う航空管制用通信システムであって、第１装置及び第２装置のそれぞれは、セルコール信号の発着信を制御するセルコール用回線インタフェース装置３０、３２と、セルコール信号と、ＤＴＭＦ信号とのデータ変換を行う変換装置５０、５２と、ＤＴＭＦ信号と、ＩＰ網２００上を流れるＩＰ化信号とのデータ変換を行うゲートウェイ装置６０、６２とを備え、変換装置５０、５２は、セルコール用回線インタフェース装置３０、３２と、ゲートウェイ装置６０、６２との間に設けられ、セルコール信号と、該セルコール信号に対応するコード信号とを紐付けし、該コード信号と、ＤＴＭＦ信号とを紐付けし、コード信号を介して、セルコール信号と、ＤＴＭＦ信号とのデータ変換を行うことにより、ＩＰ網２００を介して音声通信を行ったとしても、セルコール信号の発着信制御をすることができる。
【００８１】
実施の形態２．
本実施の形態２において、実施の形態１との相違点は、官署Ａと官署Ｂの他に、官署Ｃを想定した点である。
なお、本実施の形態２において、特に記述しない項目については実施の形態１と同様とし、同一の機能や構成については同一の符号を用いて述べることとする。
【００８２】
＜構成の説明＞
図４は、本発明の実施の形態２におけるアナログ回線の場合の官署間通信の一例を示す図である。
なお、以降の説明においては、セルコール用回線インタフェース基板間の接続に焦点を絞り、管制卓＃１〜＃Ｎ及び交換機２０、２２の記載及び説明については省略する。
図４に示すように、官署Ａには、セルコール用回線インタフェース基板＃１、セルコール用回線インタフェース基板＃２、及びセルコール用回線インタフェース基板＃３が設けられている。
官署Ａのセルコール用回線インタフェース基板＃１は、セルコール周波数２９００Ｈｚのセルコール信号を発信する。
【００８３】
官署Ｂには、セルコール用回線インタフェース基板＃１、セルコール用回線インタフェース基板＃２、セルコール用回線インタフェース基板＃３、及びセルコール用回線インタフェース基板＃４が設けられている。
官署Ｂのセルコール用回線インタフェース基板＃１には、セルコール周波数２９００Ｈｚのセルコール信号が着信する。官署Ｂのセルコール用回線インタフェース基板＃４には、セルコール周波数２９００Ｈｚのセルコール信号が着信する。
【００８４】
官署Ｃには、セルコール用回線インタフェース基板＃１、セルコール用回線インタフェース基板＃２、セルコール用回線インタフェース基板＃３、及びセルコール用回線インタフェース基板＃４が設けられている。
官署Ｃのセルコール用回線インタフェース基板＃１は、セルコール周波数２９００Ｈｚのセルコール信号を発信する。
【００８５】
官署Ａのセルコール用回線インタフェース基板＃１と、官署Ｂのセルコール用回線インタフェース基板＃１とは、アナログ回線１００ａを介して接続されている。
官署Ａのセルコール用回線インタフェース基板＃２と、官署Ｃのセルコール用回線インタフェース基板＃３とは、アナログ回線１００ｂを介して接続されている。
官署Ａのセルコール用回線インタフェース基板＃３は、アナログ回線１００ｃを介して別官署と接続関係が形成されている。
官署Ｂのセルコール用回線インタフェース基板＃２は、アナログ回線１００ｄを介して別官署と接続関係が形成されている。
官署Ｂのセルコール用回線インタフェース基板＃３は、アナログ回線１００ｅを介して別官署と接続関係が形成されている。
官署Ｂのセルコール用回線インタフェース基板＃４と、官署Ｃのセルコール用回線インタフェース基板＃１とは、アナログ回線１００ｆを介して接続されている。
官署Ｃのセルコール用回線インタフェース基板＃２は、アナログ回線１００ｇを介して別官署と接続関係が形成されている。
官署Ｃのセルコール用回線インタフェース基板＃４は、アナログ回線１００ｈを介して別官署と接続関係が形成されている。
【００８６】
図５は、本発明の実施の形態２におけるＤＴＭＦ信号をそのままＩＰ網に送出した場合の官署間通信の一例を示す図である。
図５においては、ゲートウェイ装置６０、６２、６４は、変換装置＃１、＃２との接続側に対しては、複数のＰＯＲＴ＃１〜＃４を備えている。各ＰＯＲＴは、図２で説明したＰＯＲＴ９０の構成と同様の構成で形成されている。ここで、各ＰＯＲＴの＃１〜＃４は各ポート番号を意味するものとする。ゲートウェイ装置６０、６２、６４は、ＩＰ網２００上で識別可能な自ＩＰアドレスがそれぞれ設定されている。
【００８７】
例えば、官署Ａにおいて、セルコール用インタフェース基板＃１と変換装置＃１とは接続され、セルコール用インタフェース基板＃２と変換装置＃１とは接続され、セルコール用回線インタフェース基板＃３と変換装置＃２とは接続されている。
官署Ａにおいて、変換装置＃１は、ゲートウェイ装置６０のＰＯＲＴ＃１及びＰＯＲＴ＃２と接続され、変換装置＃２は、ゲートウェイ装置６０のＰＯＲＴ＃３及びＰＯＲＴ＃４と接続されている。
官署Ａにおいて、ゲートウェイ装置６０は、自ＩＰアドレスとして、１０．１００．１００．１００が設定されている。
【００８８】
また、例えば、官署Ｂにおいて、セルコール用回線インタフェース基板＃１と変換装置＃１とは接続され、セルコール用回線インタフェース基板＃２と変換装置＃１とは接続され、セルコール用回線インタフェース基板＃３と変換装置＃２とは接続され、セルコール用回線インタフェース基板＃４と変換装置＃２とは接続されている。
官署Ｂにおいて、変換装置＃１は、ゲートウェイ装置６２のＰＯＲＴ＃１及びＰＯＲＴ＃２と接続され、変換装置＃２は、ゲートウェイ装置６２のＰＯＲＴ＃３及びＰＯＲＴ＃４と接続されている。
官署Ｂにおいて、ゲートウェイ装置６２は、自ＩＰアドレスとして、１０．２２２．２２２．００１が設定されている。
【００８９】
また、例えば、官署Ｃにおいて、セルコール用回線インタフェース基板＃１と変換装置＃１とは接続され、セルコール用回線インタフェース基板＃２と変換装置＃１とは接続され、セルコール用回線インタフェース基板＃３と変換装置＃２とは接続され、セルコール用回線インタフェース基板＃４と変換装置＃２とは接続されている。
官署Ｃにおいて、変換装置＃１は、ゲートウェイ装置６４のＰＯＲＴ＃１及びＰＯＲＴ＃２と接続され、ゲートウェイ装置６４のＰＯＲＴ＃３及びＰＯＲＴ＃４と接続されている。
官署Ｃにおいて、ゲートウェイ装置６４は、自ＩＰアドレスとして、１０．２００．２００．２００が設定されている。
【００９０】
なお、上記の接続例及びＩＰアドレスについては、一例を示すものであり、特にこれに限定するものではない。また、ＩＰアドレスそのものもＩＰｖ４（Ｉｎｔｅｒｎｅｔ  Ｐｒｏｔｏｃｏｌ  ｖｅｒ４）である必要はなく、ＩＰｖ６（Ｉｎｔｅｒｎｅｔ  Ｐｒｏｔｏｃｏｌ  ｖｅｒ６）であってもよい。
【００９１】
図５においては、官署Ａのセルコール用回線インタフェース基板＃１と、官署Ｃのセルコール用回線インタフェース基板＃１とから、官署Ｂのゲートウェイ装置６２に対し、同じ一桁の電話番号５しか送出されない。このため、官署Ｂのゲートウェイ装置６２は、着信先が、官署Ｂのセルコール用回線インタフェース基板＃１であるのか、又は、官署Ｂのセルコール用回線インタフェース基板＃４であるのかを判定することができない。
そこで、これから図６を用いて説明するように、電話番号をユニークにすることでこのような場合であってもゲートウェイ装置６０、６２、６４が着信先の判定を可能にする。
具体的には、変換装置＃１、＃２と、ゲートウェイ装置６０、６２、６４とで送出番号の追加を行い、送出桁数を増やすことにより、変換装置＃１、＃２を経由して官署間通信ができるようにする。
【００９２】
より具体的には、例えば、変換装置＃１は、セルコール信号をＤＴＭＦ信号５に変換したとする。このとき、変換装置＃１は、ＤＴＭＦ信号の送出先がゲートウェイ装置６０のＰＯＲＴ＃１である場合、ＤＴＭＦ信号に、ポート番号１を付与した状態でゲートウェイ装置６０に信号を供給する。ゲートウェイ装置６０は、供給された信号に対し、自ＩＰアドレスを付与した後、ＩＰ網２００に信号を供給する。
ここで、前提として、ポート番号及びＩＰアドレスに基づいて、各変換装置と、各セルコール用回線インタフェース基板との接続関係が形成されているものとする。
なお、ポート番号及びＩＰアドレス等の接続関係等の設定は、後述する図７のＰＯＲＴ設定部３６０が保持しているものとし、適宜、発信制御部３０７にそのような情報が供給されるものとする。
【００９３】
すなわち、変換装置＃１がポート番号１及びＤＴＭＦ信号５に基づいて生成されたポート番号付ＤＴＭＦ信号１５を送出した場合、ポート番号１、ＤＴＭＦ信号５、及び自ＩＰアドレス１０．１００．１００．１００に基づいて、ＩＰ化されたＩＰ化信号をＩＰ網２００に送出する。
一方、ゲートウェイ装置６０、６２、６４はＩＰ化されたＩＰ化信号が入力された場合、ポート番号及び自ＩＰアドレスに基づいて設定されている各変換装置＃１、＃２と各セルコール用回線インタフェース基板＃１〜＃４との接続関係により、ゲートウェイ装置６０、６２、６４は、変換装置＃１及び変換装置＃２のいずれか一方へＤＴＭＦ信号を送出する。
【００９４】
なお、図５において、官署Ａ側のセルコール用回線インタフェース基板＃１、セルコール用回線インタフェース基板＃２、及びセルコール用回線インタフェース基板＃３は、上記で説明したセルコール用回線インタフェース基板３０と同様の機能及び構成である。
また、図５において、官署Ｂ側のセルコール用回線インタフェース基板＃１、セルコール用回線インタフェース基板＃２、セルコール用回線インタフェース基板＃３、及びセルコール用回線インタフェース基板＃４は、上記で説明したセルコール用回線インタフェース基板３２と同様の機能及び構成である。
また、図５において、官署Ｃ側のセルコール用回線インタフェース基板＃１、セルコール用回線インタフェース基板＃２、セルコール用回線インタフェース基板＃３、及びセルコール用回線インタフェース基板＃４は、上記で説明したセルコール用回線インタフェース基板３０、３２と同様の機能及び構成である。
すなわち、官署Ａに設けられているセルコール用回線インタフェース基板＃１〜＃３、官署Ｂに設けられているセルコール用回線インタフェース基板＃１〜＃４、及び官署Ｃに設けられているセルコール用回線インタフェース基板＃１〜＃４は、セルコール用回線インタフェース基板３０、３２と同様の機能及び構成となっている。
【００９５】
なお、図５において、官署Ａ側の変換装置＃１及び変換装置＃２は、上記で説明した変換装置５０と同様の機能及び構成である。
また、図５において、官署Ｂ側の変換装置＃１及び変換装置＃２は、上記で説明した変換装置５２と同様の機能及び構成である。
また、図５において、官署Ｃ側の変換装置＃１及び変換装置＃２は、上記で説明した変換装置５１、５２と同様の機能及び構成である。
すなわち、官署Ａに設けられている変換装置＃１、２、官署Ｂに設けられている変換装置＃１、２、及び官署Ｃに設けられている変換装置＃１、２は、変換装置５０、５２と同様の機能及び構成となっている。
【００９６】
図６は、本発明の実施の形態２におけるＤＴＭＦ信号を識別可能に修正してＩＰ網に送出した場合の官署間通信の一例を示す図である。図７は、本発明の実施の形態２における変換装置５０の概略構成の一例を示す図である。
【００９７】
なお、図６においても、図５と同様に、官署Ａに設けられているセルコール用回線インタフェース基板＃１〜＃３、官署Ｂに設けられているセルコール用回線インタフェース基板＃１〜＃４、及び官署Ｃに設けられているセルコール用回線インタフェース基板＃１〜＃４は、セルコール用回線インタフェース基板３０、３２と同様の機能及び構成となっている。
また、図６においても、図５と同様に、官署Ａに設けられている変換装置＃１、２、官署Ｂに設けられている変換装置＃１、２、及び官署Ｃに設けられている変換装置＃１、２は、変換装置５０、５２と同様の機能及び構成となっている。
また、図７において、ＰＯＲＴ設定部３６０は、発信制御部３０７に各種情報を提供する接続構成を形成している。ＰＯＲＴ設定部３６０は、各変換装置＃１、＃２と各セルコール用回線インタフェース基板＃１〜＃４との接続関係に関する情報が格納されている。
【００９８】
＜動作の説明＞
まず、官署Ａのセルコール用回線インタフェース基板＃１からセルコール周波数２９００Ｈｚのセルコール信号を送出した場合、官署Ａの変換装置＃１ではセルコール信号がコード化され、例えば、ＤＴＭＦ信号５になる。それと同時に、ディップスイッチ等のハードスイッチで予め設定されたポート番号１桁、例えば、ポート番号１がコード化された信号に付与されることにより、計２桁の信号、例えば、ポート番号付ＤＴＭＦ信号１５が、官署Ａのゲートウェイ装置６０に送出される。
【００９９】
次に、官署Ａのゲートウェイ装置６０は、ポート番号付ＤＴＭＦ信号１５に、自ＩＰアドレス１０．１００．１００．１００を追加し、計１４桁のＩＰ化信号０１０１００１００１００１５としてＩＰ網２００に送出する。
【０１００】
次に、予め設定された各ＩＰアドレスにより、ＩＰ化信号０１０１００１００１００１５が官署Ｂのゲートウェイ装置６２に着信したとする。
官署Ｂのゲートウェイ装置６２は、上記のＩＰ化信号のうち、末尾１桁以外の先頭１３桁をマスク処理等の信号処理により抽出する。抽出した先頭１３桁は、ポート番号とＩＰアドレスアドレスとの組データであり、これにより、変換装置＃１及び変換装置＃２の何れかに末尾１桁の情報を送出するか判定する。
例えば、ＩＰアドレスにより、ＩＰ化信号の送信元が官署Ａであるのか官署Ｃであるのかが判定可能である。また、ポート番号により、ＩＰ化信号がどのセルコール用回線インタフェース基板から送出されたかが判定可能である。
【０１０１】
具体的には、ＩＰアドレスが１０．１００．１００．１００であるので、送信元は官署Ａであることが判定される。また、ポート番号が１であるので、官署Ａにおいて、ゲートウェイ装置６０のポート番号１と接続関係があるのは、変換装置＃１とセルコール用回線インタフェース基板＃１である。つまり、官署Ａのセルコール用回線インタフェース基板＃１と接続関係があるのは、官署Ｂのセルコール用回線インタフェース基板＃１であるため、官署Ｂのセルコール用回線インタフェース基板＃１と接続関係が形成されている変換装置＃１が選択されればよいことになる。
よって、ゲートウェイ装置６２は、ゲートウェイ装置６２のポート番号１であるＰＯＲＴ＃１と接続されている変換装置＃１に対し、ＩＰ化信号の先頭１３桁をマスク処理等の信号処理により削除し、ＩＰ化信号の末尾１桁のＤＴＭＦ信号５を送出する。
【０１０２】
次に、官署Ｂの変換装置＃１は、ＤＴＭＦ信号５からコード５を介してセルコール周波数２９００Ｈｚに対応したセルコール信号に変換し、セルコール用回線インタフェース基板＃１に送出する。
【０１０３】
次に、官署Ｂのセルコール用回線インタフェース基板＃１は、セルコール周波数２９００Ｈｚにて着信を検出する。
【０１０４】
また、官署Ｃのセルコール用回線インタフェース基板＃１からセルコール周波数２９００Ｈｚに対応するセルコール信号が送出された場合を想定する。
この場合においても、上記で説明した場合と同様に、官署Ｃの変換装置＃１及び官署Ｃのゲートウェイ装置６４にて順に各符号が付与されることにより作成されたＩＰ化信号０１０２００２００２００１５が官署Ｂのゲートウェイ装置６２に着信する。
この場合においても、上記で説明した場合と同様に、末尾１桁以外からなる情報から送信先が選択され、末尾１桁のＤＴＭＦ信号が、官署Ｂのセルコール用回線インタフェース基板＃４に着信する。
【０１０５】
＜効果の説明＞
このように、官署間のＩＰ網接続が複数かつ複雑な構成となった場合においても、問題なくアナログ回線をＩＰ網に乗せ変えることができる。
したがって、ＩＰ網２００を介して音声通信を行ったとしても、セルコール信号の発着信制御をすることができる。
【符号の説明】
【０１０６】
２０、２２  交換機、３０、３２  セルコール用回線インタフェース基板、５０、５２  変換装置、５１ａ  第１回路、５１ｂ  第２回路、６０、６２、６４  ゲートウェイ装置、７０、７２  レイヤ３スイッチ、８０、９０  ＰＯＲＴ、８１〜８４、９１〜９４  端子、１００、１００ａ、１００ｂ、１００ｃ、１００ｄ、１００ｅ、１００ｆ、１００ｇ、１００ｈ  アナログ回線、２００  ＩＰ網、３０１、３４１  ＰＨＣ回路、３０２、３１４、３３０、３４９  変成器、３０３、３０４、３１２、３１３、３３１、３３２、３４８  ＡＭＰ回路、３０５、３４４  ＣＯＤＥＣ部、３０６  呼出信号検出部、３０７  発信制御部、３０８、３４５  ＲＬ回路、３０９  ＲＬａスイッチ、３１０  ＲＬｂスイッチ、３１１  ＤＴＭＦジェネレータ部、３３３  ＤＴＭＦレシーバ部、３４２  着信制御部、３４３  呼出信号生成部、３４６  ＲＬｃスイッチ、３４７  ＲＬｄスイッチ、３６０  ＰＯＲＴ設定部。
【図１】
2014039115.tif 000003
【図２】
2014039115.tif 000004
【図３】
2014039115.tif 000005
【図４】
2014039115.tif 000006
【図５】
2014039115.tif 000007
【図６】
2014039115.tif 000008
【図７】
2014039115.tif 000009
【図８】
2014039115.tif 000010